(57)【要約】  本発明は、住宅居住者の資産及び価値取引行為情報統合管理運営システム及びその取引方法に関し、さらに詳細には、住宅をデジタルニューラルネットワークに接続し、その住宅に居住する居住者のすべての資産及び価値（アイデア及び技術を含む）の取引（分かち合い及び交換を含む）行為情報を統合管理運営するシステムとその資産及び価値を取引する方法に関する。本発明の実施形態に係る住宅居住者の財産及び価値取引行為情報統合管理運営システムは、会員として加入し、住宅に居住する多数の居住者の居住者端末がブロックチェーンベースのデジタルニューラルネットワークに接続され、その居住者が資産（才能を含む）及び価値（アイデア及び技術を含む）の取引（分かち合い、交換及び寄付を含む）行為情報のログがブロックチェーンに基づいて時系列的に居住者ロギングシステムに順次ロギング（コード化）されてブロックチェーンベースのマイホームページまたはアプリサーバーで統合管理運営されることを特徴とする。【選択図】図３
2019536182.tif 000002
【特許請求の範囲】
【請求項１】
会員として加入し、住宅に居住する多数の居住者の居住者端末が、分散データベースの一形態であるブロックチェーンベースのデジタルニューラルネットワークに接続され、その居住者が持っている資産（才能を含む）及び価値（アイデア及び技術を含む）の取引（分かち合い、交換及び寄付を含む）行為情報のログがブロックチェーンをベースに時系列的に居住者ロギングシステムに順次ロギング（コード化）されてブロックチェーンベースのマイホームページまたはアプリサーバーで統合管理運営され、
前記居住者端末から資産をブロックチェーンベースのマイホームページまたはアプリサーバーにアップロードするときに、自分のみ使用するプライベート資産、誰でも使用可能なパブリック資産、及び寄付資産に区分し、互いに異なる色で表示することを特徴とする、住宅居住者の資産及び価値取引行為情報統合管理運営システム。
【請求項２】
前記ブロックチェーンベースのマイホームページまたはアプリサーバーは、資産の価値を仮想通貨で貯蔵する価値貯蔵所と、パブリック資産を取引する価値交換取引所とを備えることを特徴とする、請求項１に記載の住宅居住者の資産及び価値取引行為情報統合管理運営システム。
【請求項３】
前記ブロックチェーンベースのマイホームページまたはアプリサーバーは、居住者端末からアップロードした資産を分類し、価格を評価するが、前記価格を最初価格、現在価格及び利用価格に区分することを特徴とする、請求項１に記載の住宅居住者の資産及び価値取引行為情報統合管理運営システム。
【請求項４】
前記ブロックチェーンベースのマイホームページまたはアプリサーバーは、パブリック資産の利用の際に現在価格の１／１００を利用金額として定めてパブリック資産利用居住者に仮想通貨で支給され、その利用金額の１／１０をパブリック資産利用居住者に積み立てることを特徴とする、請求項３に記載の住宅居住者の資産及び価値取引行為情報統合管理運営システム。
【請求項５】
前記ブロックチェーンベースのマイホームページまたはアプリサーバーは、決算日にすべての価値の領域分類別価値を算定して、該当価値の新しい価値創出額１００％のうち、５０％は参加者の１／Ｎに分け、残りの５０％は価値創出額を基準に寄与度によって分けて分配することを特徴とする、請求項１に記載の住宅居住者の資産及び価値取引行為情報統合管理運営システム。
【請求項６】
住宅居住者が居住者端末を介して、分散データベースの一形態であるブロックチェーンベースのデジタルニューラルネットワークに接続されたブロックチェーンベースのマイホームページまたはアプリサーバーに会員として加入する段階と、
前記居住者端末から、自分が持っている資産のイメージまたは動画像ファイル、または価値をブロックチェーンベースのマイホームページまたはアプリサーバーにアップロードするが、資産をプライベート資産、パブリック資産及び寄付資産に分けて、互いに異なる色でアップロードする段階と、
前記ブロックチェーンベースのマイホームページまたはアプリサーバーで前記アップロードした資産を分類し、価格を最初価格、現在価格及び利用価格に分けて評価する段階と、
前記パブリック資産の利用居住者端末を介して自分の所望するパブリック資産を前記ブロックチェーンベースのマイホームページまたはアプリサーバーから検索及び選択し、仮想通貨で利用価格を支給する段階と、
前記ブロックチェーンベースのマイホームページまたはアプリサーバーで決算日にすべての価値の領域分類別価値を算定して、該当価値の新しい価値創出額１００％のうち、５０％は参加者の１／Ｎに分け、残りの５０％は価値創出額を基準に寄与度によって分けて分配する段階とを含み、
前記住宅居住者が持っている資産（才能を含む）及び価値（アイデア及び技術を含む）の取引（分かち合い、交換及び寄付を含む）行為情報のログがブロックチェーンをベースに時系列的に居住者ロギングシステムに順次ロギング（コード化）されることを特徴とする、住宅居住者の資産及び価値取引方法。
【発明の詳細な説明】
【技術分野】
【０００１】
本発明は、住宅居住者の資産及び価値取引行為情報統合管理運営システム及びその取引方法に関し、さらに詳細には、住宅をデジタルニューラルネットワークに接続し、その住宅に居住する居住者のすべての資産及び価値（アイデア及び技術を含む）の取引（分かち合い及び交換を含む）行為情報を統合管理運営するシステムとその資産及び価値を取引する方法に関する。
【背景技術】
【０００２】
現在、私たちが住んでいる住居環境は、住宅を保有している空間である。
言い換えれば、最も孤立した住居環境、文化が根ざした孤立空間を形成しているという意味でもある。
【０００３】
新たな住居空間としてのアパートなどの集合住宅は、空間活用の効率性が以前のいずれの住居空間よりも革新的であるにも拘らず、資本と結合して資産増殖の手段になったその瞬間から、居住者をして孤立した他人として存在するようにする空間になる。
【０００４】
この孤立した他人を強要する灰色のレンガに囲まれた空間が人と人の間を遮って、それぞれ疎外された生活を生きていくようにするという問題点があった。
【０００５】
一方、一般な共同住宅管理サービスは、各共同住宅に対する冷房設備、暖房設備、空調設備、電気設備、消防設備、ガス設備、エレベーター、建築物安全診断などの施設管理サービス；外壁の清掃、貯水槽の清掃、防疫、造景樹植栽などの環境管理サービス；施設警備、駐車誘導、警備人員などのセキュリティ及び人力管理；管理費の内訳及びお知らせの伝達、団地内の苦情処理などの管理事務所と世代間のコミュニケーション；サイバー町内会、同好会などの世代間のコミュニケーション；共同住宅単位の電子商取引サービス；及び無人警備、駐車管制、自動宅配便、自動検針サービスなどのオンライン及びオフラインのサービスを指し示す。
【０００６】
先行特許文献である韓国公開番号第１０−２００７−００３２５２６号に開示されている共同住宅統合管理システム及び方法は、ホームネットワークサービスプロバイダのサーバー、情報通信サービスプロバイダのサーバー及び金融機関のサーバーを備える共同住宅統合管理システムにおいて、共同住宅に対する世代別のホームネットワーク及び情報通信サービスの加入／解約及び課金情報と、共同住宅管理機能を提供するホームページモジュール；ホームネットワークサービスプロバイダ接続部；情報通信サービスプロバイダ接続部；共同住宅に対する各世帯別管理費を計算する管理費計算部；計算された管理費を格納するデータベース；ホームネットワークサービスプロバイダのサーバー及び情報通信サービスプロバイダのサーバーから伝送されたホームネットワークサービス使用料及び情報通信サービス使用料の内訳請求書を作成する請求書作成部；及び各項目別使用料の内訳請求書をサーバーに格納し、各世代別の情報機器のクライアントへ伝送する請求書伝送部を備える統合管理サーバーを含む構成を開示する。
【０００７】
この先行特許によれば、共同住宅居住者は、世代別の情報機器を介して統合管理サーバーに接続して共同住宅管理事務所サービス、ホームネットワークサービス及び情報通信サービスの管理、課金及び統合納付、オンラインメンテナンス機能を提供するという効果がある。
【０００８】
ところが、従来の先行特許によっても、共同住宅居住者に生活の利便性を与えたものの、その住宅でこれまで孤立した他人として存在し、疎外された「私」から脱して多数が集まって新しい価値を創出し、その価値を交わし、「私たち」と呼ばれる共同体を作ることはできなかった。
【先行技術文献】
【特許文献】
【０００９】
【特許文献１】韓国公開番号第１０−２００７−００３２５２６号
【発明の概要】
【発明が解決しようとする課題】
【００１０】
本発明は、上述した問題点を解決するために案出されたもので、その目的は、住宅をデジタルニューラルネットワークに接続し、その住宅に居住する居住者のすべての資産及び価値（アイデア及び技術を含む）の取引（分かち合い及び交換を含む）行為情報を統合管理運営して居住者の間で資産及び価値を取引、共有、生産、格納するようにすることにより、孤立した他人として存在していた多くの「私」が集まって「私たち」になり、「私」の価値をやりとりしながら新しい価値を創出し、その価値を交わし、それらの価値が集まって社会的資産を作り、これにより住宅を「私」と他人が互いに異ならない「私たち」のコミュニティに発展させることができる、住宅居住者の資産及び価値取引行為情報統合管理運営システム及びその取引方法を提供することにある。
【課題を解決するための手段】
【００１１】
上記目的を達成するための本発明の実施形態に係る住宅居住者の資産及び価値取引行為情報統合管理運営システムは、会員として加入し、住宅に居住する多数居住者の居住者端末が、分散データベースの一形態であるブロックチェーンベースのデジタルニューラルネットワークに接続され、その居住者が持っている資産（才能を含む）及び価値（アイデア及び技術を含む）の取引（分かち合い、交換及び寄付を含む）行為情報のログがブロックチェーンをベースに時系列的に居住者ロギングシステムに順次ロギング（コード化）されてブロックチェーンベースのマイホームページまたはアプリサーバーで統合管理運営され、
前記居住者端末から資産をブロックチェーンベースのマイホームページまたはアプリサーバーにアップロードするときに、自分のみ使用するプライベート資産、誰でも使用可能なパブリック資産、及び寄付資産に区分し、互いに異なる色で表示することを特徴とする。
【００１２】
また、前記ブロックチェーンベースのマイホームページまたはアプリサーバーは、資産の価値を仮想通貨で貯蔵する価値貯蔵所と、パブリック資産を取引する価値交換取引所とを備えることを特徴とする。
【００１３】
また、前記ブロックチェーンベースのマイホームページまたはアプリサーバーは、居住者端末からアップロードした資産を分類し、価格を評価するが、前記価格を最初価格、現在価格及び利用価格に区分することを特徴とする。
【００１４】
また、前記ブロックチェーンベースのマイホームページまたはアプリサーバーは、パブリック資産の利用の際に現在価格の１／１００を利用金額として定めてパブリック資産利用居住者に仮想通貨で支給され、その利用金額の１／１０をパブリック資産利用居住者に積み立てることを特徴とする。
【００１５】
また、前記ブロックチェーンベースのマイホームページまたはアプリサーバーは、決算日にすべての価値の領域分類別価値を算定して、該当価値の新しい価値創出額１００％のうち、５０％は参加者の１／Ｎに分け、残りの５０％は価値創出額を基準に寄与度によって分けて分配することを特徴とする。
【００１６】
本発明の実施形態に係る住宅居住者の資産及び価値取引方法は、住宅居住者が居住者端末を介して、分散データベースの一形態であるブロックチェーンベースのデジタルニューラルネットワークに接続されたブロックチェーンベースのマイホームページまたはアプリサーバーに会員として加入する段階と、
前記居住者端末から、自分が持っている資産のイメージまたは動画像ファイル、または価値をブロックチェーンベースのマイホームページまたはアプリサーバーにアップロードするが、資産をプライベート資産、パブリック資産、及び寄付資産に分けて、互いに異なる色でアップロードする段階と、
前記ブロックチェーンベースのマイホームページまたはアプリサーバーで前記アップロードした資産を分類し、価格を最初価格、現在価格及び利用価格に分けて評価する段階と、
前記パブリック資産の利用居住者端末を介して自分の所望するパブリック資産を前記ブロックチェーンベースのマイホームページまたはアプリサーバーから検索及び選択し、仮想通貨で利用価格を支給する段階と、
前記ブロックチェーンベースのマイホームページまたはアプリサーバーで決算日にすべての価値の領域分類別価値を算定して、該当価値の新しい価値創出額１００％のうち、５０％は参加者の１／Ｎに分け、残りの５０％は価値創出額を基準に寄与度によって分けて分配する段階とを含み、
前記住宅居住者が持っている資産（才能を含む）及び価値（アイデア及び技術を含む）の取引（分かち合い、交換及び寄付を含む）行為情報のログがブロックチェーンをベースに時系列的に居住者ロギングシステムに順次ロギング（コード化）されることを特徴とする。
【発明の効果】
【００１７】
上述した技術的解決方法によれば、住宅をデジタルニューラルネットワークに接続し、その住宅に居住する居住者のすべての資産及び価値（アイデア及び技術を含む）の取引（分かち合い及び交換を含む）行為情報を統合管理運営して居住者の間で資産及び価値を取引、共有、生産、貯蔵するようにすることにより、孤立した他人として存在していた多くの「私」が集まって「私たち」になり、「私」の価値をやりとりしながら新しい価値を創出し、その価値を交わし、それらの価値が集まって社会的資産を作り、これにより住宅を「私」と他人が互いに異ならない「私たち」のコミュニティに発展させることができる。
【図面の簡単な説明】
【００１８】
【図１】本発明に適用されるデジタルニューラルネットワークの概念図である。
【図２】本発明に適用される居住者ロギングシステムを説明するための図である。
【図３】本発明の実施形態に係る統合管理運営システムの概略図である。
【図４】本発明の実施形態に係る取引方式の一例を示すフローチャートである。
【発明を実施するための形態】
【００１９】
以下、本発明の実施形態について、添付図面を参照してその構成及び作用を説明する。
図１は本発明に適用されるデジタルニューラルネットワークの概念図である。
【００２０】
共同住宅または住宅の多数の居住者端末２０をデジタルニューラルネットワーク１０に接続し、その住宅に居住する居住者の固有ＩＤ、その他の識別ＩＤ、資産コード及びシナジー生活の全取引過程と取引単位別コードなどを、ブロックチェーンをベースにロギングする。
【００２１】
ここで、シナジー生活とは、資産管理、金融、流通、創業、エンターテインメント、知識情報及び教育、衣類、ファッション、健康及び医療、空間移動、食べ物、通信及び娯楽などのすべての資産及び価値（アイデア及び技術を含む）の取引（分かち合い、交換及び寄付を含む）行為をいう。
【００２２】
ここで、ブロックチェーン（Ｂｌｏｃｋ  ｃｈａｉｎ）は、分散データベースの一形態で、持続的に成長するデータ記録リストであって、分散ノードのオペレータによる任意の操作が不可能である。
【００２３】
このようなブロックチェーンをベースに構成されたデジタルニューラルネットワーク１０によって、何時でも居住者の取引情報及び価値情報を居住者が互いに確認し、共有することができる。
【００２４】
図２は本発明に適用される居住者ロギングシステムを説明するための図である。
【００２５】
図２に示すように、居住者ロギングシステム２１は、居住者の資産及び価値の取引行為が進むにつれて、時系列的にデータ（コード）が後端に追加されて−まるで汽車の最終車両に他の車両が順次連結されるように−貯蔵される。
【００２６】
例えば、図２の居住者ロギングシステム２１において、１番目のカラムである丸１には居住者ＩＤ付与データが、２番目のカラムである丸２には住宅及び主な活動空間コード付与データが、３番目のカラムである丸３には資産管理システム（ＡＭＳ：Ａｓｓｅｔ  Ｍａｎａｇｅｍｅｎｔ  Ｓｙｓｔｅｍ）コード付与データが、４番目のカラムである丸４には金融及び価値貯蔵／管理データが、５番目のカラムである丸５には労働時間及び価値創出（寄与度を含む）記録データが、６番目のカラムである丸６には取引及び支給記録データが、７番目のカラムである丸７には情報分類データが、．．．、そして、ｍ番目のカラムである丸mには、その他の拡張及び参照情報などを認識及び収容することができる機能／領域などが内蔵されて順次保存される。
【００２７】
図３は本発明の実施形態に係る統合管理運営システムの概略図である。
図３に示すように、会員（ヌトリアン）に加入した多数の居住者端末２０が図１のブロックチェーンベースのデジタルニューラルネットワーク１０に接続され、シナジー生活情報のログがブロックチェーンをベースに図２の居住者ロギングシステム２１にロギング（コード化）されてブロックチェーンベースのマイホームページまたはアプリサーバー３０で統合管理運営される。
【００２８】
このため、前記ブロックチェーンベースのマイホームページまたはアプリサーバー３０は、取引行為情報ＤＢ３２を運営及び管理し、内部に資産（才能を含む）の価値を仮想通貨で貯蔵する価値貯蔵所３４と、パブリック資産を取引する価値交換取引所３６とを備える。
【００２９】
また、財貨の回収と配達のために、居住配達員端末４０がブロックチェーンベースのマイホームページまたはアプリサーバー３０にデジタルニューラルネットワーク１０を介して接続できる。
【００３０】
このような統合管理運営システムにおいて、居住者は、居住者端末２０を介してブロックチェーンベースのマイホームページまたはアプリサーバー３０に会員（ヌトリアン）として加入する。
【００３１】
会員に加入した後、居住者端末２０を介して財貨または才能（例えば、理髪、掃除、英語教育など）のイメージ及び動画像情報をブロックチェーンベースのマイホームページまたはアプリサーバー３０に登録する。
【００３２】
前記ブロックチェーンベースのマイホームページまたはアプリサーバー３０は、登録されたその財貨または才能の価値を評価して仮想通貨（ヌトコイン）で支給し、前記価値貯蔵所３４に積み立てる。
【００３３】
前記ブロックチェーンベースのマイホームページまたはアプリサーバー３０は、登録されたものが財貨である場合、居住配達員端末４０に回収を要求し、この要求に応えて、居住配達員は財貨を登録した居住者世代を訪問して財貨を回収する。
【００３４】
このような状態で、他の会員居住者は、居住者端末２０を介してブロックチェーンベースのマイホームページまたはアプリサーバー３０に登録された財貨または才能についての情報を価値交換取引所３６から検索して所望の財貨または才能を申請し、仮想通貨（ヌトコイン）で決済した後、財貨または才能が必要な日付を予約する。
【００３５】
ここで、前記ブロックチェーンベースのマイホームページまたはアプリサーバー３０は、財貨を予約した場合、予約日に居住配達員端末４０に配達を要求し、配達員は、財貨利用者に財貨を配達する。
【００３６】
また、前記ブロックチェーンベースのマイホームページまたはアプリサーバー３０は、才能を予約した場合、才能提供居住者端末２０との電話通話またはＳＭＳを用いて日程を協議して才能利用居住者端末２０にＳＭＳやアプリなどを介して才能提供日付を通知する。
その後、才能提供日になると、才能提供居住者は、才能利用居住者を訪問して才能（例えば、理髪）を行う。
【００３７】
図４は本発明の実施形態に係る統合管理運営方法の取引方式の一例を示すフローチャートである。
【００３８】
まず、居住者は、居住者端末２０を介してブロックチェーンベースのマイホームページまたはアプリサーバー３０に会員（ヌトリアン）として登録してＩＤの付与を受け、これを確認する（Ｓ４０）。
【００３９】
次の会員は、居住者端末２０を介して自分所有の資産を撮ってイメージまたは動画像ファイルをブロックチェーンベースのマイホームページまたはアプリサーバー３０にアップロードする（Ｓ４２）。
【００４０】
前記資産アップロードの際に資産を自分のみ使用するもの（プライベート資産：（ＰＩ（ｎ）））、レンタルや販売のように誰でも使用できるもの（パブリック資産：（ＰＵ（ｎ）））、及び寄付資産などに区分した後、互いに異なる色で表示する（これは、ブロックチェーンなので可能である）。
【００４１】
例えば、プライベート資産（ＰＩ（ｎ））は青色で表示し、パブリック資産（ＰＵ（ｎ））はオレンジ色で表示する。
【００４２】
前記ＰＵ（ｎ）として登録された資産は、価値交換取引所３６で会員に加入した居住者であれば誰でも利用することができる。
【００４３】
前記資産アップロードの際に居住者自身の才能（例えば、理髪、英語教育、清掃など）やアイデアをアップロードすることができる。
【００４４】
次のブロックチェーンベースのマイホームページまたはアプリサーバー３０は、居住者がアップロードした資産を分類し、価格を評価する（Ｓ４４）。
【００４５】
すなわち、資産分類システムによるマッチング技法を用いて資産を細分化し（例えば、衣類、ファッション、寝具、工具、図書、エンターテインメント、厨房用品、生活用品、おもちゃ）、その資産価格評価に基づいて価格を定めてこれを表示する。
【００４６】
この時、資産の価格は最初価格、現在価格、利用価格などで表示し、例えば、利用価格は現在価格の１／１００である１％とし、その資産の利用居住者は利用価格を仮想通貨（ヌトコイン）で支給する。
【００４７】
このように居住者が持っている価値総量（財貨＋アイデア）だけ仮想通貨を支給し、価値貯蔵所３４に積み立てるが、寄付の場合は、仮想通貨を支給しない。
【００４８】
ここで、アイデアの価値は、自分のアイデアをまとめてブロックチェーンベースのマイホームページまたはアプリサーバー３０にアップロードし、このアイデアを価値評価委員会で評価して定める。
【００４９】
居住者が生活のために使用するすべての価値は、各使用領域別に分けて創出価値を算定するが、すべての価値の各使用領域別の新しい価値創出額１００％のうち、５０％は参加者の１／Ｎに分け、残りの５０％は価値創出額を基準に寄与度によって分けて後で支給する。
【００５０】
次のブロックチェーンベースのマイホームページまたはアプリサーバー３０にアップロードされたパブリック資産（例えば、ゴルフクラブ）を利用しようと（レンタルしようと）する居住者は、居住者端末２０を介して、自分の所望するパブリック資産を価値交換取引所３６から検索及び選択し、仮想通貨を利用価格として支給して価値貯蔵所３４に積み立てた後、予約された日にパブリック資産を利用する（Ｓ４６）。
【００５１】
この時、利用居住者に、例えば利用価格の１／１０を積み立てるＭ１０プログラムによって価値貯蔵所３４に仮想通貨を積み立てた後、現金に転換するか或いはパブリック資産を購入することができるようにする。
【００５２】
そして、利用居住者がパブリック資産の利用で支給した利用価格を含む価値を、前記ブロックチェーンベースのマイホームページまたはアプリサーバー３０で決算日にすべての価値の領域分類別に算定して、ＲＳＳ（Ｒｅｖｅｎｕｅ  Ｓｈａｒｉｎｇ  Ｓｙｓｔｅｍ）によって当該価値の新しい価値創出額１００％のうち、５０％は参加者の１／Ｎに分け、残りの５０％は価値創出額を基準に寄与度によって分けて支給する（Ｓ４８）。
【図１】
2019536182.tif 000003
【図２】
2019536182.tif 000004
【図３】
2019536182.tif 000005
【図４】
2019536182.tif 000006
【国際調査報告】
2019536182.tif 000007
2019536182.tif 000008
2019536182.tif 000009
2019536182.tif 000010